(57)【要約】【課題】パレット及び当該パレットに載せられた物品群の検査を適切に行える物品検査設備の実現。【解決手段】対象物を搬送する搬送装置と、搬送装置によって搬送される対象物を検査する検査装置と、を備え、対象物は、パレット及び物品群であり、検査装置は、高さ検出部と重量検出部と読取部と記憶部と判定部とを備え、記憶部には、物品高さ情報と物品重量情報と規定物品数情報とが物品種類を示す情報と関連付けて記憶され、判定部は、識別情報に基づいて物品群を構成する物品の物品種類を判定し、物品群の高さと物品高さ情報とに基づいて、物品群を構成する物品の段数を判定し、当該判定した物品の段数と規定物品数情報と物品重量情報と物品群の重量とに基づいて、物品群の各段の物品数が規定物品数と一致しているか否かを判定する物品数判定を行う。【選択図】図５
2020079150.tif 000002
【特許請求の範囲】
【請求項１】
対象物を搬送する搬送装置と、前記搬送装置によって搬送された前記対象物を保管する倉庫と、前記搬送装置によって搬送される前記対象物を検査する検査装置と、を備えた物品検査設備であって、
前記対象物は、パレット及び当該パレットに載せられた物品群であり、前記物品群を構成する物品の識別情報を外部から読み取り可能な状態で保持する識別情報保持部を備え、
前記物品群は、同じ種類の複数の物品であって前記パレットに複数段積まれて構成され、
前記検査装置は、前記物品群の高さを検出する高さ検出部と、前記物品群の重量を検出する重量検出部と、前記識別情報保持部が保持する前記識別情報を読み取る読取部と、記憶部と、判定部と、を備え、
前記記憶部には、複数種類の物品のそれぞれの物品種類毎に、各物品の高さ示す物品高さ情報と、各物品の重量を示す物品重量情報と、前記物品群における各段の規定物品数を示す規定物品数情報とが、物品種類を示す情報と関連付けて記憶され、
前記判定部は、
前記読取部により読み取った前記識別情報に基づいて前記物品群を構成する物品の物品種類を判定し、当該判定した物品種類を判定種類として、
前記高さ検出部によって検出された前記物品群の高さと前記判定種類の前記物品高さ情報とに基づいて、前記物品群を構成する物品の段数を判定し、
当該判定した物品の段数と、前記判定種類の前記規定物品数情報と、前記判定種類の前記物品重量情報と、前記重量検出部によって検出された前記物品群の重量と、に基づいて、前記物品群の各段の物品数が前記規定物品数情報に示される前記規定物品数と一致しているか否かを判定する物品数判定を行い、
前記搬送装置は、前記物品数判定で一致していると判定された場合は前記対象物を前記倉庫に搬送し、前記物品数判定で一致していないと判定された場合は前記倉庫に搬送しない、物品検査設備。
【請求項２】
前記記憶部には、複数種類の物品のそれぞれの物品種類毎に、前記パレットの高さを示すパレット高さ情報と、前記パレットの重量を示すパレット重量情報とが、物品種類を示す情報と関連付けて記憶され、
前記高さ検出部は、前記対象物の全体の高さを検出すると共に、当該対象物の全体の高さから前記パレット高さ情報に示される前記パレットの高さを差し引くことで、前記物品群の高さを検出し、
前記重量検出部は、前記対象物の全体の重量を検出すると共に、当該対象物の全体の重量から前記パレット重量情報に示される前記パレットの重量を差し引くことで、前記物品群の重量を検出する、請求項１に記載の物品検査設備。
【請求項３】
前記判定部は、前記物品数判定で一致していると判定した場合には、前記判定した物品の段数と前記判定種類の前記規定物品数情報とに基づいて算出される物品数を、前記倉庫に搬送された前記対象物における前記物品群の物品数として、前記倉庫の入庫管理システムに登録する、請求項１又は２に記載の物品検査設備。
【請求項４】
前記判定部は、前記重量検出部によって検出された前記物品群の重量を、前記判定した物品の段数と前記判定種類の前記物品重量情報に示される各物品の重量とを乗算した値によって除算して１段あたりの平均物品数を判定し、当該平均物品数と前記規定物品数との乖離が規定のしきい値以下である場合に、前記物品数判定で一致していると判定する、請求項１から３のいずれか一項に記載の物品検査設備。
【発明の詳細な説明】
【技術分野】
【０００１】
本発明は、対象物を搬送する搬送装置と、前記搬送装置によって搬送された前記対象物を保管する倉庫と、前記搬送装置によって搬送される前記対象物を検査する検査装置と、を備えた物品検査設備に関する。
【背景技術】
【０００２】
以下、背景技術について説明する。以下の説明において、かっこ書きの符号又は名称は、先行技術文献における符号又は名称とする。かかる物品検査設備の従来例が、特開２００２−２１１７１９号公報（特許文献１）に記載されている。特許文献１の物品検査設備は、対象物を搬送する搬送装置（荷搬送ライン２３）と、搬送装置によって搬送された対象物を保管する倉庫（自動倉庫１）と、搬送装置によって搬送される対象物を検査する検査装置と、を備えている。対象物は、パレット及びパレットに載せられた物品群である。検査装置は、対象物の重量を計測する総重量計測装置５を備え、総重量計測装置５が計測した計測総重量と、入庫予定データ４の物品１個の重量と、に基づいて、対象物における物品の数と入庫予定データの物品の数とが一致しているか否かを判定する。搬送装置は、対象物における物品の数と入庫予定データの物品の数とが一致していれば倉庫に搬送し、一致していなければ倉庫に搬送しないようになっている。
【先行技術文献】
【特許文献】
【０００３】
【特許文献１】特開２００２−２１１７１９号公報
【発明の概要】
【発明が解決しようとする課題】
【０００４】
上記した物品検査設備では、入庫予定データ４として、物品検査設備に搬入される対象物における物品の種類、重量及び個数を示す情報を予め取得する必要がある。このような入庫予定データ４は、客先から対象物が搬入される際に入力されるものであり、このような入庫予定データが入力されていなければ、対象物の検査を行うことができなかった。また、上記した物品検査設備では、対象物における物品の数と入庫予定データの物品の数とが一致しているか否かを判定している。しかし、物品の重量は、例えば、乾燥している時期と湿っている時期とで変化したり、梱包資材の量の違いによって変化したりするため、予め記憶されている物品の重量と実際の物品の重量とでは誤差が生じる場合がある。そのため、総重量計測装置５が計測した計測総重量と、入庫予定データ４の物品１個の重量から算出された仮想総重量と、を比較する場合に、対象物における物品の数だけ誤差が積み重なって誤差が大きくなる場合があり、対象物の物品の個数を適切に判断できずに、対象物の検査を適切に行えない場合がある。
【０００５】
そこで、パレット及び当該パレットに載せられた物品群の検査を適切に行える物品検査設備の実現が望まれる。
【課題を解決するための手段】
【０００６】
上記に鑑みた、物品検査設備の特徴構成は、対象物を搬送する搬送装置と、前記搬送装置によって搬送された前記対象物を保管する倉庫と、前記搬送装置によって搬送される前記対象物を検査する検査装置と、を備え、前記対象物は、パレット及び当該パレットに載せられた物品群であり、前記物品群を構成する物品の識別情報を外部から読み取り可能な状態で保持する識別情報保持部を備え、前記物品群は、同じ種類の複数の物品であって前記パレットに複数段積まれて構成され、前記検査装置は、前記物品群の高さを検出する高
さ検出部と、前記物品群の重量を検出する重量検出部と、前記識別情報保持部が保持する前記識別情報を読み取る読取部と、記憶部と、判定部と、を備え、前記記憶部には、複数種類の物品のそれぞれの物品種類毎に、各物品の高さ示す物品高さ情報と、各物品の重量を示す物品重量情報と、前記物品群における各段の規定物品数を示す規定物品数情報とが、物品種類を示す情報と関連付けて記憶され、前記判定部は、前記読取部により読み取った前記識別情報に基づいて前記物品群を構成する物品の物品種類を判定し、当該判定した物品種類を判定種類として、前記高さ検出部によって検出された前記物品群の高さと前記判定種類の前記物品高さ情報とに基づいて、前記物品群を構成する物品の段数を判定し、当該判定した物品の段数と、前記判定種類の前記規定物品数情報と、前記判定種類の前記物品重量情報と、前記重量検出部によって検出された前記物品群の重量と、に基づいて、前記物品群の各段の物品数が前記規定物品数情報に示される前記規定物品数と一致しているか否かを判定する物品数判定を行い、前記搬送装置は、前記物品数判定で一致していると判定された場合は前記対象物を前記倉庫に搬送し、前記物品数判定で一致していないと判定された場合は前記倉庫に搬送しない点にある。
【０００７】
この特徴構成によれば、記憶部には、複数種類の物品のそれぞれの物品種類毎に、物品高さ情報と物品重量情報と規定物品数情報とが、物品種類を示す情報と関連付けて記憶されている。そのため、対象物が物品検査設備に搬入される際に対象物に関する情報を取得しなくても、読取部により読み取った識別情報に基づいて物品群を構成する物品の物品種類を判定し、その物品種類の物品高さ情報と物品重量情報と規定物品数情報とを取得できる。
そして、判定部は、高さ検出部によって検出された物品群の高さと判定種類の物品高さ情報とに基づいて、物品群を構成する物品の段数を判定し、判定した物品の段数、規定物品数情報、物品重量情報、物品群の重量に基づいて、物品群の各段の物品数が規定物品数情報に示される規定物品数と一致しているか否かを判定している。そのため、本構成によれば、倉庫に入庫される予定数を示す入庫予定データが無くても、パレットに載せられた物品群の物品数が適正であるか否かを適切に検査することができる。
【図面の簡単な説明】
【０００８】
【図１】物品検査設備の平面図
【図２】第１コンベヤの斜視図
【図３】制御ブロック図
【図４】検品制御のフローチャート
【図５】検品処理のフローチャート
【発明を実施するための形態】
【０００９】
１．実施形態
物品検査設備の実施形態について図面に基づいて説明する。
図１に示すように、物品検査設備は、対象物ＷＰを搬送する第１コンベヤ１、第２コンベヤ２及び第３コンベヤ３と、対象物ＷＰを保管する自動倉庫４と、床面上を走行して物品Ｗを搬送する搬送台車５と、を備えている。
【００１０】
第１コンベヤ１は、外部から搬入されてきた対象物ＷＰを搬送する搬入用コンベヤとして用いられる。第２コンベヤ２及び第３コンベヤ３は、外部から搬入されてきた対象物ＷＰを搬送する搬入用コンベヤ、及び、外部に搬出する対象物ＷＰを搬送する搬出用コンベヤとして用いられる。図１において、各コンベヤの搬送方向を矢印で図示している。
【００１１】
第１コンベヤ１、第２コンベヤ２及び第３コンベヤ３によって搬送された対象物ＷＰは、搬送台車５を介して自動倉庫４に入庫される。自動倉庫４から出庫された対象物ＷＰは、搬送台車５を介して第２コンベヤ２又は第３コンベヤ３に搬送される。また、第１コン
ベヤ１によって搬送された対象物ＷＰのうちの自動倉庫４に入庫しない対象物ＷＰは、搬送台車５を介して第２コンベヤ２又は第３コンベヤ３に搬送される。第１コンベヤ１と搬送台車５とで、対象物ＷＰを搬送する搬送装置１１が構成されている。また、自動倉庫４が、搬送装置１１によって搬送された対象物ＷＰを保管する倉庫に相当する。
【００１２】
図２に示すように、対象物ＷＰは、パレットＰ及び当該パレットＰに載せられた物品群Ｇである。対象物ＷＰは、物品群Ｇを構成する物品Ｗの識別情報を外部から読み取り可能な状態で保持する識別情報保持部Ａを備えている。物品群Ｇは、同じ種類の複数の物品ＷであってパレットＰに複数段積まれて構成されている。本実施形態では、パレットＰに積まれた物品群Ｇにおける複数段のそれぞれの物品数は同じとなっている。また、本実施形態では、識別情報保持部Ａは、識別情報をバーコードで表示しており、識別情報としてＪＡＮコードを用いている。そして、物品群Ｇを構成する複数の物品Ｗの夫々は、物品群Ｇの側面となる位置に識別情報保持部Ａを貼付又は印刷によって備えている。
【００１３】
図１に示すように、自動倉庫４は、対象物ＷＰを保管する保管部６を縦横に複数備えた物品収納棚７と、自動倉庫４に入庫された対象物ＷＰを搬送する入庫用コンベヤ８と、自動倉庫４から出庫する対象物ＷＰを搬送する出庫用コンベヤ９と、床面上を走行して物品収納棚７と入庫用コンベヤ８と出庫用コンベヤ９との間で対象物ＷＰを搬送するスタッカークレーン１０と、を備えている。
【００１４】
第１コンベヤ１は、後述する検査装置１３によって自動的に検査する対象物ＷＰを搬送するコンベヤである。第２コンベヤ２や第３コンベヤ３は、作業者によって検査された対象物ＷＰを搬送するコンベヤである。図２に示すように、第１コンベヤ１に対して、対象物ＷＰの高さを検出する高さ検出装置１４と、対象物ＷＰの重量を検出する重量検出装置１５と、対象物ＷＰが有する識別情報保持部Ａを読み取る読取部としての読取装置１６とが備えられている。本実施形態では、高さ検出装置１４として、エリアセンサが用いられており、読取装置１６として、バーコードリーダが用いられている。
【００１５】
物品検査設備には、第１コンベヤ１によって搬送される対象物ＷＰを検査する検査装置１３（図１及び図２参照）と、第１コンベヤ１、第２コンベヤ２、第３コンベヤ３、自動倉庫４、搬送台車５、及び検査装置１３を制御する制御装置Ｈ（図３参照）と、が備えられている。図２及び図３に示すように、検査装置１３は、物品群Ｇの高さを検出する高さ検出部２１と、物品群Ｇの重量を検出する重量検出部２２と、識別情報保持部Ａが保持する識別情報を読み取る読取装置１６と、記憶部１７と、判定部１８と、を備えている。本実施形態では、記憶部１７は、制御装置Ｈに備えられているハードディスク等の記録媒体によって構成されており、判定部１８は制御装置Ｈにプログラム形式で備えられている。
【００１６】
記憶部１７には、物品検査設備に搬入されることが予定されている物品Ｗ（複数種類の物品Ｗ）のそれぞれの物品種類毎に、各物品Ｗの高さを示す物品高さ情報と、各物品Ｗの重量を示す物品重量情報と、物品群Ｇにおける各段の規定物品数を示す規定物品数情報とが、物品種類を示す種類情報と関連付けて記憶されている。尚、物品群Ｇにおける各段の物品数は、物品群Ｇを構成する物品Ｗの種類に応じて予め定められており、この予め定められている各段の物品数が規定物品数として種類情報と関連付けて記憶部１７に記憶されている。
【００１７】
また、記憶部１７には、物品検査設備に搬入されると予想される物品Ｗ（複数種類の物品Ｗ）のそれぞれの物品種類毎に、パレットＰの高さを示すパレット高さ情報と、パレットＰの重量を示すパレット重量情報とが、物品Ｗの種類情報と関連付けて記憶されている。尚、対象物ＷＰのパレットＰの種類は、当該対象物ＷＰにおける物品Ｗの種類に応じて予め定められており、この予め定められているパレットＰの種類に応じたパレットＰの高
さや重量がパレット高さ情報やパレット重量情報として種類情報と関連付けて記憶部１７に記憶されている。
【００１８】
高さ検出部２１は、物品群Ｇの高さを検出する。本実施形態では、高さ検出部２１は、対象物ＷＰの全体の高さを検出すると共に、対象物ＷＰの全体の高さからパレット高さ情報に示されるパレットＰの高さを差し引くことで、物品群Ｇの高さを検出する。説明を加えると、高さ検出装置１４が、対象物ＷＰの全体の高さを検出し、制御装置Ｈが、高さ検出装置１４が検出した対象物ＷＰの全体の高さから、記憶部１７に記憶されているパレット高さ情報が示すパレットＰの高さを差し引くことで、物品群Ｇの高さを検出する。つまり、本実施形態では、高さ検出部２１は、高さ検出装置１４と制御装置Ｈとで構成されている。
【００１９】
重量検出部２２は、物品群Ｇの重量を検出する。本実施形態では、重量検出部２２は、対象物ＷＰの全体の重量を検出すると共に、対象物ＷＰの全体の重量からパレット重量情報に示されるパレットＰの重量を差し引くことで、物品群Ｇの重量を検出する。説明を加えると、重量検出装置１５が、対象物ＷＰの全体の重量を検出し、制御装置Ｈが、重量検出装置１５が検出した対象物ＷＰの全体の重量から、記憶部１７に記憶されているパレット重量情報が示すパレットＰの重量を差し引くことで、物品群Ｇの重量を検出する。つまり、本実施形態では、重量検出部２２は、重量検出装置１５と制御装置Ｈとで構成されている。
【００２０】
判定部１８は、まず、読取装置１６により読み取った識別情報に基づいて物品群Ｇを構成する物品Ｗの物品種類を判定し、当該判定した物品種類を判定種類とする。次に、判定部１８は、高さ検出部２１によって検出された物品群Ｇの高さと判定種類の物品高さ情報とに基づいて、物品群Ｇを構成する物品Ｗの段数を判定する。次に、判定部１８は、判定した物品Ｗの段数と、判定種類の規定物品数情報と、判定種類の物品重量情報と、重量検出部２２によって検出された物品群Ｇの重量と、に基づいて、物品群Ｇの各段の物品数が規定物品数情報に示される規定物品数と一致しているか否かを判定する物品数判定を行う。
【００２１】
判定部１８は、物品数判定で一致していると判定した場合には、判定した物品Ｗの段数と判定種類の規定物品数情報とに基づいて算出される物品数を、倉庫に搬送された対象物ＷＰにおける物品群Ｇの物品数として、制御装置Ｈの記憶部１７に記憶させることで制御装置Ｈに登録している。この物品数は、物品Ｗの種類情報と、自動倉庫４における対象物ＷＰを収納する位置を示す位置情報とに関連付けられた状態で、記憶部１７に記憶される。尚、制御装置Ｈが、倉庫の入庫管理システムに相当する。
【００２２】
判定部１８は、物品数判定で一致していると判定した場合は、判定した対象物ＷＰを自動倉庫４に収容するように、第１コンベヤ１、搬送台車５、及び自動倉庫４を制御する。また、制御装置Ｈは、物品数判定で一致していないと判定した場合は、判定した対象物ＷＰを物品検査設備から外部に搬出するように、第１コンベヤ１、搬送台車５、及び第２コンベヤ２又は第３コンベヤ３を制御する。このように、搬送装置１１（第１コンベヤ１及び搬送台車５）は、物品数判定で一致していると判定された場合は対象物ＷＰを自動倉庫４に搬送し、物品数判定で一致していないと判定された場合は自動倉庫４に搬送しない。
【００２３】
次に、上述のように判定部１８が対象物ＷＰの検品を行う検品制御について、図４及び図５に示すフローチャートに基づいて説明する。図４のフローチャートに示すように、検品制御では、高さ検出装置１４、重量検出装置１５及び読取装置１６によって検出された検出情報を制御装置Ｈが受信する（Ｓ１）と、参照処理を実行する（Ｓ２）。この参照処理では、読取装置１６によって読み取られた識別情報に基づいて物品群Ｇを構成する物品
Ｗの物品種類を判定し、その判定した判定種類に関する情報（物品高さ情報、物品重量情報、規定物品数情報、パレット高さ情報及びパレット重量情報）を記憶部１７から取得する。なお、対象物ＷＰに識別情報保持部Ａがない場合や識別情報保持部Ａが汚損されている等のために読取装置１６によって識別情報を読み取ることができない対象物ＷＰや、判定した物品種類に関する情報が記憶部１７に記憶されていない場合は、入庫対象ではない対象物ＷＰと判定される。
【００２４】
参照処理により物品種類に関する情報を取得すると、次に検品処理を実行する（Ｓ３）。本実施形態では、検品処理では、図５のフローチャートに示すように、重量処理（Ｓ３１）、高さ処理（Ｓ３２）、段数判定処理（Ｓ３３）、段個数処理（Ｓ３４）、比較処理（Ｓ３５）を順次実行する。重量処理では、重量検出装置１５によって検出された対象物ＷＰの全体の重量からパレット重量情報が示すパレットＰの重量を差し引いて、物品群Ｇの重量を判定する。高さ処理では、高さ検出処理によって検出された対象物ＷＰの全体の高さからパレット高さ情報が示すパレットＰの高さを差し引いて、物品群Ｇの高さを検出する。段数判定処理では、高さ処理で検出された物品群Ｇの高さを物品高さ情報が示す物品Ｗの高さで除算して、物品群Ｇを構成する物品Ｗの段数を判定する。
【００２５】
段個数処理では、重量処理によって検出された物品群Ｇの重量を、段数処理によって判定された物品Ｗの段数と判定種類の物品重量情報に示される各物品Ｗの重量とを乗算した値によって除算して１段当たりの平均物品数を判定する。比較処理では、段個数処理で判定した平均物品数と規定物品数との乖離が規定の閾値以下である場合に、物品数判定で一致していると判定し、入庫対象の対象物ＷＰと判定する。また、比較処理では、段個数処理で判定した平均物品数と規定物品数との乖離が規定の閾値を超える場合に、物品数判定で一致していないと判定し、入庫対象ではない対象物ＷＰと判定する。尚、閾値の乖離について、本実施形態では、平均物品数と規定物品数との差を用いる。なお、閾値の乖離として、平均物品数と規定物品数との比を用いてもよい。
【００２６】
図４のフローチャートに示すように、対象物ＷＰが参照処理及び検品処理において入庫対象と判定された場合（Ｓ４：Ｙｅｓ）は、入庫対象と判定された対象物ＷＰを自動倉庫４に入庫する入庫処理を実行（Ｓ５）して対象物ＷＰを自動倉庫４に搬送すると共に、登録処理を実行（Ｓ６）して、当該対象物ＷＰにおける物品群Ｇの物品数と種類情報と位置情報とを関連付けた状態で制御装置Ｈに登録する。また、対象物ＷＰが参照処理や検品処理において入庫対象ではないと判定された場合（Ｓ４：Ｎｏ）は、搬出処理を実行（Ｓ７）して対象物ＷＰを物品検査設備から外部に搬出する。
【００２７】
２．その他の実施形態
次に、物品検査設備のその他の実施形態について説明する。
【００２８】
（１）上記実施形態では、物品群Ｇの重量を、物品Ｗの段数と物品重量情報が示す物品Ｗの重量とを乗算した値によって除算して１段あたりの平均物品数を判定し、当該平均物品数と規定物品数情報が示す規定物品数とを比較して、物品群Ｇの各段の物品数と規定物品数とに基づいて一致しているか否かを判定したが、物品数判定の方法はこれには限定されない。例えば、物品Ｗの段数と規定物品数情報が示す規定物品数と物品重量情報が示す物品Ｗの重量とを乗算して段数に応じた物品群Ｇの規定重量である理論物品群重量を判定し、当該理論物品群重量と物品群Ｇの実際の重量とを比較して、物品群Ｇの各段の物品数が規定物品数と一致しているか否かを判定してもよい。
【００２９】
（２）上記実施形態では、複数種類の物品Ｗの夫々の物品種類毎に、パレット高さ情報とパレット重量情報とを、物品種類情報と関連付けて記憶した。しかし、パレット高さ情報とパレット重量情報とのうちの一方又は双方を、予め記憶していなくてもよい。この場合
において、例えば、高さ検出装置１４がパレットＰの上面から対象物ＷＰの上端までの高さ、つまりは物品群Ｇの高さのみを検出するようにしてもよい。また、重量検出部２２が、重量検出装置１５が検出した対象物ＷＰの全体の重量からパレットＰの重量として一定値を差し引くことで、物品群Ｇの重量を検出するようにしてもよい。
【００３０】
（３）上記実施形態では、搬送装置１１は、物品数判定で一致していないと判定された場合に、対象物ＷＰを物品検出設備から搬出するように搬送して自動倉庫４に搬送しないようにした。しかし、対象物ＷＰを自動倉庫４に搬送しない構成はこれに限定されない。例えば、物品数判定で一致していないと判定された場合に、搬送装置１１を停止させて対象物ＷＰを自動倉庫４に搬送しないようにしてもよい。尚、このように、搬送装置１１を停止させた場合は、ブザーやランプ等で構成された報知部を作動させてエラー報知を行うことにより、物品数判定で一致していないと判定された対象物ＷＰが発生したことを周囲の作業者に知らせるようにしてもよい。
【００３１】
（４）上記実施形態では、物品数判定で一致していると判定した場合に、算出された物品数を、自動倉庫４に搬送された対象物ＷＰにおける物品群Ｇの物品数として、入庫管理システムを構成する制御装置Ｈに登録する構成を例として説明したがこれには限定されない。例えば、物品数判定で判定した物品群Ｇの物品数の情報を、自動倉庫４に搬送するか否かの検査のためのみに用いても良い。その場合において、物品群Ｇの物品数の登録は、作業者の手作業によって制御装置Ｈに登録するようにしてもよい。
【００３２】
（５）上記実施形態では、識別情報保持部Ａが、識別情報をバーコードで表示する構成を例として説明したが、これには限定されない。例えば、識別情報保持部Ａが、ＩＣタグ等の通信機能を有するデータ記憶装置として構成され、識別情報を通信により読取可能なデータとして備える構成としても好適である。また、上記の実施形態では、識別情報保持部Ａは、物品群Ｇを構成する各物品に設けられた構成を例として説明したが、これには限定されず、例えば、識別情報保持部ＡがパレットＰに設けられていても良い。
【００３３】
（６）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００３４】
３．上記実施形態の概要
以下、上記において説明した物品検査設備の概要について説明する。
【００３５】
物品検査設備は、対象物を搬送する搬送装置と、前記搬送装置によって搬送された前記対象物を保管する倉庫と、前記搬送装置によって搬送される前記対象物を検査する検査装置と、を備え、前記対象物は、パレット及び当該パレットに載せられた物品群であり、前記物品群を構成する物品の識別情報を外部から読み取り可能な状態で保持する識別情報保持部を備え、前記物品群は、同じ種類の複数の物品であって前記パレットに複数段積まれて構成され、前記検査装置は、前記物品群の高さを検出する高さ検出部と、前記物品群の重量を検出する重量検出部と、前記識別情報保持部が保持する前記識別情報を読み取る読取部と、記憶部と、判定部と、を備え、前記記憶部には、複数種類の物品のそれぞれの物品種類毎に、各物品の高さ示す物品高さ情報と、各物品の重量を示す物品重量情報と、前記物品群における各段の規定物品数を示す規定物品数情報とが、物品種類を示す情報と関連付けて記憶され、前記判定部は、前記読取部により読み取った前記識別情報に基づいて前記物品群を構成する物品の物品種類を判定し、当該判定した物品種類を判定種類として、前記高さ検出部によって検出された前記物品群の高さと前記判定種類の前記物品高さ情報とに基づいて、前記物品群を構成する物品の段数を判定し、当該判定した物品の段数と
、前記判定種類の前記規定物品数情報と、前記判定種類の前記物品重量情報と、前記重量検出部によって検出された前記物品群の重量と、に基づいて、前記物品群の各段の物品数が前記規定物品数情報に示される前記規定物品数と一致しているか否かを判定する物品数判定を行い、前記搬送装置は、前記物品数判定で一致していると判定された場合は前記対象物を前記倉庫に搬送し、前記物品数判定で一致していないと判定された場合は前記倉庫に搬送しない。
【００３６】
この構成によれば、記憶部には、複数種類の物品のそれぞれの物品種類毎に、物品高さ情報と物品重量情報と規定物品数情報とが、物品種類を示す情報と関連付けて記憶されている。そのため、対象物が物品検査設備に搬入される際に対象物に関する情報を取得しなくても、読取部により読み取った識別情報に基づいて物品群を構成する物品の物品種類を判定し、その物品種類の物品高さ情報と物品重量情報と規定物品数情報とを取得できる。
そして、判定部は、高さ検出部によって検出された物品群の高さと判定種類の物品高さ情報とに基づいて、物品群を構成する物品の段数を判定し、判定した物品の段数、規定物品数情報、物品重量情報、物品群の重量に基づいて、物品群の各段の物品数が規定物品数情報に示される規定物品数と一致しているか否かを判定している。そのため、本構成によれば、倉庫に入庫される予定数を示す入庫予定データが無くても、パレットに載せられた物品群の物品数が適正であるか否かを適切に検査することができる。
【００３７】
ここで、前記記憶部には、複数種類の物品のそれぞれの物品種類毎に、前記パレットの高さを示すパレット高さ情報と、前記パレットの重量を示すパレット重量情報とが、物品種類を示す情報と関連付けて記憶され、前記高さ検出部は、前記対象物の全体の高さを検出すると共に、当該対象物の全体の高さから前記パレット高さ情報に示される前記パレットの高さを差し引くことで、前記物品群の高さを検出し、前記重量検出部は、前記対象物の全体の重量を検出すると共に、当該対象物の全体の重量から前記パレット重量情報に示される前記パレットの重量を差し引くことで、前記物品群の重量を検出すると好適である。
【００３８】
この構成によれば、載置する物品の種類によって使用するパレットの高さや重量が異なる場合にも、対象物の全体の高さから、種類情報に関連付けて記憶されているパレット高さ情報に示されるパレットの高さを差し引くことで、物品群の高さを適切に検出できる。また、対象物の全体の重量から、種類情報に関連付けて記憶されているパレット重量情報に示されているパレット情報を差し引くことで、物品群の重量を適切に検出できる。
【００３９】
また、前記判定部は、前記物品数判定で一致していると判定した場合には、前記判定した物品の段数と前記判定種類の前記規定物品数情報とに基づいて算出される物品数を、前記倉庫に搬送された前記対象物における前記物品群の物品数として、前記倉庫の入庫管理システムに登録すると好適である。
【００４０】
この構成によれば、判定部によって算出される物品数を自動的に入庫管理システムに登録することができるため、作業者が手作業で登録する場合に比べて物品数の登録の手間を簡略化することができる。
【００４１】
また、前記判定部は、前記重量検出部によって検出された前記物品群の重量を、前記判定した物品の段数と前記判定種類の前記物品重量情報に示される各物品の重量とを乗算した値によって除算して１段あたりの平均物品数を判定し、当該平均物品数と前記規定物品数との乖離が規定のしきい値以下である場合に、前記物品数判定で一致していると判定すると好適である。
【００４２】
この構成によれば、１段当たりの平均物品数と規定物品数との乖離がしきい値以下か否
かにより、物品数判定で一致しているか否かを判定することができる。従って、倉庫に入庫される予定数を示す入庫予定データが無くても、パレットに載せられた物品群の物品数が適正であるか否かを適切に検査することができる。
【産業上の利用可能性】
【００４３】
本開示に係る技術は、搬送装置によって搬送される前記対象物を検査する検査装置に利用することができる。
【符号の説明】
【００４４】
４：自動倉庫（倉庫）
１１：搬送装置
１３：検査装置
１６：読取装置（読取部）
１７：記憶部
１８：判定部
２１：高さ検出部
２２：重量検出部
Ａ：識別情報保持部
Ｇ：物品群
Ｐ：パレット
Ｗ：物品
ＷＰ：対象物
【図１】
2020079150.tif 000003
【図２】
2020079150.tif 000004
【図３】
2020079150.tif 000005
【図４】
2020079150.tif 000006
【図５】
2020079150.tif 000007